(57)【要約】【課題】医事会計システムとは異なるフォーマットで管理された他の医事会計システムの会計情報を、医事会計システムにデータ移行することなく、他の医事会計システムから医事会計システムへの切り替えを行うこと。【解決手段】情報処理装置１０１は、他の医事会計システムＳoldが生成したレセプトデータ１１０を取得する。情報処理装置１０１は、第１の変換ルールＲ１による変換の逆変換となる第２の変換ルールＲ２と、取得したレセプトデータ１１０とに基づいて、医事会計システムＳnewのフォーマットに合致した新たな会計情報１２０を生成する。第１の変換ルールＲ１は、医事会計システムＳnewの会計情報ＡｄをレセプトデータＲｄに変換するためのルールである。情報処理装置１０１は、生成した新たな会計情報１２０を、他の医事会計システムＳoldから医事会計システムＳnewへの移行データ１３０として出力する。【選択図】図１
2019185553.tif 000002
【特許請求の範囲】
【請求項１】
医事会計に関する会計情報を、国が指定したレイアウトのレセプトデータに、第１の変換ルールにより変換する医事会計システムのコンピュータに、
他の医事会計システムが前記レイアウトに基づき生成したレセプトデータを取得し、
前記医事会計システムとは異なるフォーマットで管理された前記他の医事会計システムの会計情報をデータ移行することなく、前記第１の変換ルールによる変換の逆変換となる第２の変換ルールと、取得した前記レセプトデータとに基づいて、前記医事会計システムのフォーマットに合致した新たな会計情報を生成し、
生成した前記新たな会計情報を、前記他の医事会計システムから前記医事会計システムへの移行データとして出力する、
処理を実行させることを特徴とする生成プログラム。
【請求項２】
前記コンピュータに、
前記第１の変換ルールを参照して、前記医事会計システムの会計情報を前記レイアウトのレセプトデータに変換する際の変換処理のタイプ、および、前記医事会計システムの会計情報において診療行為を識別するコードと前記レイアウトのレセプトデータにおいて診療行為を識別するコードとの対応関係を特定し、
特定した前記タイプおよび前記対応関係に基づいて、前記第１の変換ルールによる変換の逆変換となる前記第２の変換ルールを作成する、
処理を実行させることを特徴とする請求項１に記載の生成プログラム。
【請求項３】
医事会計に関する会計情報を、国が指定したレイアウトのレセプトデータに、第１の変換ルールにより変換する医事会計システムのコンピュータが、
他の医事会計システムが前記レイアウトに基づき生成したレセプトデータを取得し、
前記医事会計システムとは異なるフォーマットで管理された前記他の医事会計システムの会計情報をデータ移行することなく、前記第１の変換ルールによる変換の逆変換となる第２の変換ルールと、取得した前記レセプトデータとに基づいて、前記医事会計システムのフォーマットに合致した新たな会計情報を生成し、
生成した前記新たな会計情報を、前記他の医事会計システムから前記医事会計システムへの移行データとして出力する、
処理を実行することを特徴とする生成方法。
【請求項４】
医事会計システムの会計情報を国が指定したレイアウトのレセプトデータに変換する第１の変換ルールを参照して、前記会計情報を前記レセプトデータに変換する際の変換処理のタイプ、および、前記会計情報において診療行為を識別するコードと前記レセプトデータにおいて診療行為を識別するコードとの対応関係を特定し、
特定した前記タイプおよび前記対応関係に基づいて、前記第１の変換ルールによる変換の逆変換となる第２の変換ルールを作成する、
処理をコンピュータが実行することを特徴とするルール作成方法。
【請求項５】
医事会計に関する会計情報を、国が指定したレイアウトのレセプトデータに、第１の変換ルールにより変換する医事会計システムの情報処理装置であって、
他の医事会計システムが前記レイアウトに基づき生成したレセプトデータを取得する取得部と、
前記医事会計システムとは異なるフォーマットで管理された前記他の医事会計システムの会計情報をデータ移行することなく、前記第１の変換ルールによる変換の逆変換となる第２の変換ルールと、前記取得部によって取得された前記レセプトデータとに基づいて、前記医事会計システムのフォーマットに合致した新たな会計情報を生成する生成部と、
前記生成部によって生成された前記新たな会計情報を、前記他の医事会計システムから前記医事会計システムへの移行データとして出力する出力部と、
を有することを特徴とする情報処理装置。
【発明の詳細な説明】
【技術分野】
【０００１】
本発明は、生成プログラム、生成方法、ルール作成方法および情報処理装置に関する。
【背景技術】
【０００２】
医事会計システムは、数年に一度、機器の老朽化に合わせて新システムへの切り替えが行われることが多い。新システムへの切り替えの際には、旧システムに入力された患者情報や会計情報などを引き継ぐ必要があるため、旧システムから新システムへのデータ移行が行われる。
【０００３】
先行技術としては、入力された電子レセプトデータファイルに含まれる全てのレコードの項目数を統一させ、電子レセプトデータが請求ファイル単位・レセプト単位・診療識別単位・診療報酬明細単位で識別できる処理番号を各レコードに付与するものがある。また、医療情報から作成された分析専用データを用いて、医療機関の医療情報を対象とした分析処理を行って、分析結果データを医療機関のシステムへ送信する技術がある。また、ＣＳＶ（Ｃｏｍｍａ  Ｓｅｐａｒａｔｅｄ  Ｖａｌｕｅ）形式の増減点連絡書データを利用したレセプト分析を行うための技術がある。
【先行技術文献】
【特許文献】
【０００４】
【特許文献１】特開２０１５−５２８４７号公報
【特許文献２】特開２０１４−１３７６９８号公報
【特許文献３】特開２０１６−２２４５５５号公報
【発明の概要】
【発明が解決しようとする課題】
【０００５】
しかしながら、従来技術では、医事会計システムを切り替えるにあたり、旧システムから新システムへのデータ移行を行うことが困難な場合がある。例えば、新旧システムが異なるベンダーのものである場合には、会計情報のフォーマットが異なり、旧システムの会計情報をそのままの状態で新システムの会計情報として移行することができない。
【０００６】
一つの側面では、本発明は、医事会計システムとは異なるフォーマットで管理された他の医事会計システムの会計情報を、医事会計システムにデータ移行することなく、他の医事会計システムから医事会計システムへの切り替えを行うことができることを目的とする。
【課題を解決するための手段】
【０００７】
１つの実施態様では、医事会計に関する会計情報を、国が指定したレイアウトのレセプトデータに、第１の変換ルールにより変換する医事会計システムのコンピュータに、他の医事会計システムが前記レイアウトに基づき生成したレセプトデータを取得し、前記医事会計システムとは異なるフォーマットで管理された前記他の医事会計システムの会計情報をデータ移行することなく、前記第１の変換ルールによる変換の逆変換となる第２の変換ルールと、取得した前記レセプトデータとに基づいて、前記医事会計システムのフォーマットに合致した新たな会計情報を生成し、生成した前記新たな会計情報を、前記他の医事会計システムから前記医事会計システムへの移行データとして出力する、処理を実行させる生成プログラムが提供される。
【０００８】
また、１つの実施態様では、医事会計システムの会計情報を国が指定したレイアウトのレセプトデータに変換する第１の変換ルールを参照して、前記会計情報を前記レセプトデータに変換する際の変換処理のタイプ、および、前記会計情報において診療行為を識別するコードと前記レセプトデータにおいて診療行為を識別するコードとの対応関係を特定し、特定した前記タイプおよび前記対応関係に基づいて、前記第１の変換ルールによる変換の逆変換となる第２の変換ルールを作成する、ルール作成方法が提供される。
【発明の効果】
【０００９】
本発明の一側面によれば、医事会計システムとは異なるフォーマットで管理された他の医事会計システムの会計情報を、医事会計システムにデータ移行することなく、他の医事会計システムから医事会計システムへの切り替えを行うことができる。
【図面の簡単な説明】
【００１０】
【図１】図１は、実施の形態にかかる生成方法の一実施例を示す説明図である。
【図２Ａ】図２Ａは、会計情報からレセプトデータへの変換例を示す説明図（その１）である。
【図２Ｂ】図２Ｂは、会計情報からレセプトデータへの変換例を示す説明図（その２）である。
【図２Ｃ】図２Ｃは、会計情報からレセプトデータへの変換例を示す説明図（その３）である。
【図３】図３は、情報処理装置１０１のハードウェア構成例を示すブロック図である。
【図４】図４は、レセプト電算変換マスタテーブル４００の記憶内容の一例を示す説明図である。
【図５】図５は、逆レセプト電算変換マスタテーブル５００の記憶内容の一例を示す説明図である。
【図６】図６は、情報処理装置１０１の機能的構成例を示すブロック図である。
【図７】図７は、第２の変換ルールＲ２の作成例を示す説明図である。
【図８】図８は、レセプトデータＲｄ’から会計情報Ａｄへの変換例を示す説明図である。
【図９】図９は、情報処理装置１０１のルール作成処理手順の一例を示すフローチャートである。
【図１０】図１０は、変換タイプが「１」の場合のデータ領域展開処理の具体的処理手順の一例を示す説明図である。
【図１１】図１１は、変換タイプが「２」の場合のデータ領域展開処理の具体的処理手順の一例を示す説明図である。
【図１２】図１２は、情報処理装置１０１の会計情報生成処理手順の一例を示すフローチャートである。
【図１３】図１３は、変換タイプが「１」の場合の逆変換処理の具体的処理手順の一例を示す説明図である。
【図１４】図１４は、変換タイプが「２」の場合の逆変換処理の具体的処理手順の一例を示す説明図である。
【発明を実施するための形態】
【００１１】
以下に図面を参照して、本発明にかかる生成プログラム、生成方法、ルール作成方法および情報処理装置の実施の形態を詳細に説明する。
【００１２】
（実施の形態）
図１は、実施の形態にかかる生成方法の一実施例を示す説明図である。図１において、情報処理装置１０１は、レセプトデータから会計情報を生成するコンピュータである。情報処理装置１０１は、例えば、医療機関のＰＣ（Ｐｅｒｓｏｎａｌ  Ｃｏｍｐｕｔｅｒ）やサーバである。医療機関は、例えば、病院、診療所などである。
【００１３】
レセプトデータは、医療機関が診療報酬を請求するために使用するレセプト（診療報酬請求明細書）を電子化したものであり、国（厚生労働省）が指定したレイアウトで生成される。したがって、各医療機関において生成されるレセプトデータのデータ構造や記録形式は同じものとなる。
【００１４】
会計情報は、医療機関における医事会計に関する情報である。会計情報は、例えば、診療行為ごとの診療行為マスタ名称、診療行為マスタコード、点数（診療報酬点数）、金額などを含む。診療行為マスタ名称は、診療行為の名称である。診療行為マスタコードは、医事会計システムの会計情報において診療行為を識別するコードである。診療行為としては、例えば、診断、手術、注射、検査、処方などがある。
【００１５】
ここで、レセプトの電子化にあたり、国（厚生労働省）からレセプト電算マスタコードが発表された。レセプト電算マスタコードとは、レセプトデータにおいて診療行為を識別するコードである。一方、紙ファイルでのレセプトの提出が主であった医事会計システムにおいては、会計情報を独自のフォーマットで管理しており、診療行為マスタコードとレセプト電算マスタコードとを１対１に紐付けできない場合が多い。
【００１６】
ここで、図２Ａ、図２Ｂおよび図２Ｃを用いて、会計情報からレセプトデータへの変換例について説明する。
【００１７】
図２Ａ、図２Ｂおよび図２Ｃは、会計情報からレセプトデータへの変換例を示す説明図である。図２Ａに示す例は、診療行為マスタコードとレセプト電算マスタコードとが１対１で紐付く場合の変換例である。
【００１８】
ここでは、診療行為Ａ（診療行為マスタコード「００００１」）のときは、レセプト電算マスタコード「９０００１」を記録すると変換ルールに規定されているとする。また、診療行為Ｂ（診療行為マスタコード「００００２」）のときは、レセプト電算マスタコード「９０００２」を記録すると変換ルールに規定されているとする。
【００１９】
この場合、医事会計システムは、会計情報２１１に含まれる各診療行為マスタコードの診療行為に紐付くレセプト電算マスタコードをレセプトデータ２１２に記録する。
【００２０】
図２Ｂに示す例は、診療行為マスタコードとレセプト電算マスタコードとが多対１で紐付く場合、すなわち、１対１で紐付かない場合の変換例である。ここでは、レセプト電算マスタコード「９０００３」の診療行為について、医事会計システムの都合上、会計情報では診療行為Ｃと診療行為Ｄとの組み合わせで入力する場合を想定する。
【００２１】
診療行為Ｄは、例えば、診療行為Ｃに対する乳幼児加算、時間加算などの点数の加算を表すためのものである。例えば、初診料（乳幼児）という診療行為を、医事会計システムの都合上、初診料（診療行為Ｃ）と乳幼児加算（診療行為Ｄ）という診療行為の組み合わせによって表す場合がある。
【００２２】
この場合、医事会計システムは、会計情報２２１に診療行為Ｃと診療行為Ｄとの組み合わせがあった場合、この組み合わせに紐付く一つのレセプト電算マスタコード「９０００３」をレセプトデータ２２２に記録する。このように、特定の診療行為に対して、何らかの加算がある場合に、会計情報とレセプトデータとで記録方法が異なることがある。
【００２３】
図２Ｃに示す例は、診療行為マスタコードとレセプト電算マスタコードとが１対多で紐付く場合、すなわち、１対１で紐付かない場合の変換例である。ここでは、レセプトデータではレセプト電算マスタコード「９０００５」、「９０００６」の組み合わせで表される診療行為について、医事会計システムの都合上、会計情報では診療行為Ｅ（診療行為マスタコード「００００６」）で入力する場合を想定する。
【００２４】
この場合、医事会計システムは、会計情報２３１に診療行為Ｅがあった場合、複数のレセプト電算マスタコード「９０００５」、「９０００６」をレセプトデータ２３２に記録する。すなわち、会計情報２３１では、加算込みの診療行為で表しているのに対して、レセプトデータでは、診療行為と加算との組み合わせによって表している。
【００２５】
このように、会計情報とレセプトデータとで記録方法が異なることがあるため、医事会計システム上の診療行為マスタコードとレセプト電算マスタコードとを１対１に紐付けできない場合がある。このため、各医事会計システムで会計情報に独自の変換処理を行ってレセプトデータを生成して提出するという運用が行われている。
【００２６】
ところで、機器の老朽化等に合わせてシステム切り替えを行う場合、旧システムから新システムへのデータ移行が行われる。会計情報は、監査に使用するため、レセプトデータを提出した後も一定期間管理する必要がある。したがって、移行対象となる情報には、会計情報も含まれる。
【００２７】
しかし、新旧システム間で会計情報のデータ移行を行うことが困難なものとなることがある。例えば、新旧システムが同一ベンダーのものであれば、全てのデータフォーマットが共通のため、容易に会計情報のデータ移行を行うことができる。一方で、新旧システムが異なるベンダーのものである場合には、会計情報のフォーマットが異なるため、限られた情報（例えば、図２Ａに示したような会計情報２１１）しかデータ移行することができない。
【００２８】
なお、旧システムの会計情報を、新システムの会計情報のフォーマットに合わせて人手により入力し直すことも考えられるが、時間や手間がかかる。また、他ベンダーの会計情報からレセプトデータへの変換ルールはわからないため、旧システムの会計情報を、直接的に新システムの会計情報に変換することはできない。
【００２９】
そこで、本実施の形態では、医事会計システム（新システム）とは異なるフォーマットで管理された他の医事会計システム（旧システム）の会計情報をデータ移行することなく、他の医事会計システムから医事会計システムへの切り替えを可能にする生成方法について説明する。
【００３０】
以下、情報処理装置１０１の処理例について説明する。情報処理装置１０１は、医療機関における切り替え後の医事会計システムＳnewのコンピュータである。
【００３１】
（１）情報処理装置１０１は、他の医事会計システムＳoldが生成したレセプトデータ１１０を取得する。他の医事会計システムＳoldは、医療機関における切り替え前のシステムである。レセプトデータ１１０は、国（厚生労働省）が指定したレイアウトで生成されたレセプトの電子データである。
【００３２】
（２）情報処理装置１０１は、第１の変換ルールＲ１による変換の逆変換となる第２の変換ルールＲ２と、取得したレセプトデータ１１０とに基づいて、医事会計システムＳnewのフォーマットに合致した新たな会計情報１２０を生成する。第１の変換ルールＲ１は、医事会計システムＳnewの会計情報ＡｄをレセプトデータＲｄに変換するためのルールである。
【００３３】
第２の変換ルールＲ２は、レセプトデータＲｄを医事会計システムＳnewの会計情報Ａｄに変換するためのルールである。ここで、レセプトデータＲｄは、国が指定したレイアウトで生成されるため、医事会計システムＳnewと他の医事会計システムＳoldとでレイアウトが同じである。
【００３４】
換言すれば、他の医事会計システムＳoldのレセプトデータ１１０を逆変換することで、医事会計システムＳnewの会計情報を得ることができる。すなわち、情報処理装置１０１は、医事会計システムＳnewとは異なるフォーマットで管理された他の医事会計システムＳoldの会計情報をデータ移行することなく、医事会計システムＳnewのフォーマットに合致した新たな会計情報１２０を生成する。
【００３５】
（３）情報処理装置１０１は、生成した新たな会計情報１２０を、他の医事会計システムＳoldから医事会計システムＳnewへの移行データ１３０として出力する。移行データ１３０は、システム切り替えを行う際に旧システムから新システムに引き継ぐ情報であり、新システムで扱うフォーマットの情報である。
【００３６】
これにより、他の医事会計システムＳoldが生成したレセプトデータ１１０から、医事会計システムＳnewのフォーマットに合致した会計情報１２０を生成することができる。このため、医療機関においてシステム切り替えを行う際に、医事会計システムＳnewとは異なるフォーマットで管理された他の医事会計システムＳoldの会計情報をデータ移行することなく、他の医事会計システムＳoldから医事会計システムＳnewへの切り替えを行うことが可能となる。
【００３７】
（情報処理装置１０１のハードウェア構成例）
図３は、情報処理装置１０１のハードウェア構成例を示すブロック図である。図３において、情報処理装置１０１は、ＣＰＵ（Ｃｅｎｔｒａｌ  Ｐｒｏｃｅｓｓｉｎｇ  Ｕｎｉｔ）３０１と、メモリ３０２と、ディスクドライブ３０３と、ディスク３０４と、Ｉ／Ｆ（Ｉｎｔｅｒｆａｃｅ）３０５と、ディスプレイ３０６と、入力装置３０７と、を有する。また、各構成部はバス３００によってそれぞれ接続される。
【００３８】
ここで、ＣＰＵ３０１は、情報処理装置１０１の全体の制御を司る。ＣＰＵ３０１は、複数のコアを有していてもよい。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する記憶部である。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３９】
ディスクドライブ３０３は、ＣＰＵ３０１の制御に従ってディスク３０４に対するデータのリード／ライトを制御する。ディスク３０４は、ディスクドライブ３０３の制御で書き込まれたデータを記憶する。ディスク３０４としては、例えば、磁気ディスク、光ディスクなどが挙げられる。
【００４０】
Ｉ／Ｆ３０５は、通信回線を通じてネットワーク３１０に接続され、ネットワーク３１０を介して外部装置に接続される。そして、Ｉ／Ｆ３０５は、ネットワーク３１０と自装置内部とのインターフェースを司り、外部装置からのデータの入出力を制御する。ネットワーク３１０は、例えば、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などである。
【００４１】
ディスプレイ３０６は、カーソル、アイコンあるいはツールボックスをはじめ、文書、画像、機能情報などのデータを表示する表示装置である。ディスプレイ３０６としては、例えば、液晶ディスプレイ、ＣＲＴ（Ｃａｔｈｏｄｅ  Ｒａｙ  Ｔｕｂｅ）などを採用することができる。
【００４２】
入力装置３０７は、文字、数字、各種指示などの入力のためのキーを有し、データの入力を行う。入力装置３０７は、キーボードやマウスなどであってもよく、また、タッチパネル式の入力パッドやテンキーなどであってもよい。
【００４３】
なお、情報処理装置１０１は、上述した構成部のうち、例えば、ディスクドライブ３０３、ディスク３０４、ディスプレイ３０６、入力装置３０７などを有さないことにしてもよい。また、情報処理装置１０１は、上述した構成部のほかに、例えば、ＳＳＤ（Ｓｏｌｉｄ  Ｓｔａｔｅ  Ｄｒｉｖｅ）、スキャナ、プリンタなどを有することにしてもよい。
【００４４】
（レセプト電算変換マスタテーブル４００の記憶内容）
図４を用いて、情報処理装置１０１が有するレセプト電算変換マスタテーブル４００の記憶内容について説明する。レセプト電算変換マスタテーブル４００は、図１に示した第１の変換ルールＲ１の一例である。レセプト電算変換マスタテーブル４００は、例えば、図３に示したメモリ３０２、ディスク３０４などの記憶装置に記憶される。
【００４５】
図４は、レセプト電算変換マスタテーブル４００の記憶内容の一例を示す説明図である。図４において、レセプト電算変換マスタテーブル４００は、診療行為マスタコード、変換タイプおよびデータ領域のフィールドを有する。各フィールドに情報を設定することで、第１変換ルール（例えば、第１変換ルール４００−１〜４００−４）がレコードとして記憶される。
【００４６】
ここで、診療行為マスタコードは、会計情報Ａｄにおいて診療行為を識別するコードである。変換タイプは、会計情報ＡｄをレセプトデータＲｄに変換する際の変換処理のタイプである。例えば、変換タイプ１は、多対１変換タイプを示す。多対１変換タイプは、会計情報Ａｄでは複数マスタだが、レセプトデータＲｄでは１マスタで記録する際の変換タイプである（例えば、図２Ｂ参照）。変換タイプ２は、１対多変換タイプを示す。１対多変換タイプは、会計情報Ａｄでは１マスタだが、レセプトデータＲｄでは複数マスタで記録する際の変換タイプである（例えば、図２Ｃ参照）。
【００４７】
データ領域は、変換に必要な情報を変換タイプに応じて登録するフィールドである。例えば、変換タイプ１のときは、データ領域には、診療行為マスタコード＋レセプト電算マスタコードが登録される。変換タイプ２のときは、データ領域には、レセプト電算マスタコード＋レセプト電算マスタコードが登録される。なお、０から始まるコードは、診療行為マスタコードを示す。９から始まるコードは、レセプト電算マスタコードを示す。
【００４８】
例えば、第１変換ルール４００−１は、変換タイプ１（多対１変換タイプ）の変換ルールであり、診療行為マスタコード「００００３」と診療行為マスタコード「００００４」との組み合わせを、一つのレセプト電算マスタコード「９０００３」に変換するルールである。
【００４９】
（逆レセプト電算変換マスタテーブル５００の記憶内容）
図５を用いて、情報処理装置１０１が有する逆レセプト電算変換マスタテーブル５００の記憶内容について説明する。逆レセプト電算変換マスタテーブル５００は、図１に示した第２の変換ルールＲ２の一例である。逆レセプト電算変換マスタテーブル５００は、例えば、図３に示したメモリ３０２、ディスク３０４などの記憶装置に記憶される。
【００５０】
図５は、逆レセプト電算変換マスタテーブル５００の記憶内容の一例を示す説明図である。図５において、逆レセプト電算変換マスタテーブル５００は、レセプト電算マスタコード１、レセプト電算マスタコード２、レセプト電算マスタコード３、変換タイプ、診療行為マスタコード１、診療行為マスタコード２および診療行為マスタコード３のフィールドを有する。各フィールドに情報を設定することで、第２変換ルール（例えば、第２変換ルール５００−１〜５００−４）がレコードとして記憶される。
【００５１】
ここで、レセプト電算マスタコード１，２，３は、レセプトデータＲｄにおいて診療行為を識別するコードである。変換タイプは、会計情報ＡｄをレセプトデータＲｄに変換する際の変換処理のタイプである。診療行為マスタコード１，２，３は、会計情報Ａｄにおいて診療行為を識別するコードである。
【００５２】
例えば、第２変換ルール５００−１は、図４に示した第１変換ルール４００−１による変換の逆変換となる変換ルールであり、一つのレセプト電算マスタコード「９０００３」を、診療行為マスタコード「００００３」と診療行為マスタコード「００００４」との組み合わせに変換するルールである。
【００５３】
（情報処理装置１０１の機能的構成例）
図６は、情報処理装置１０１の機能的構成例を示すブロック図である。図６において、情報処理装置１０１は、取得部６０１と、作成部６０２と、生成部６０３と、出力部６０４と、を含む。取得部６０１〜出力部６０４は制御部となる機能であり、具体的には、例えば、図３に示したメモリ３０２、ディスク３０４などの記憶装置に記憶されたプログラムをＣＰＵ３０１に実行させることにより、または、Ｉ／Ｆ３０５により、その機能を実現する。各機能部の処理結果は、例えば、メモリ３０２、ディスク３０４などの記憶装置に記憶される。
【００５４】
取得部６０１は、医事会計システムＳnewの会計情報Ａｄを、国が指定したレイアウトのレセプトデータＲｄに変換するための第１の変換ルールＲ１を取得する。具体的には、例えば、取得部６０１は、図３に示した入力装置３０７を用いたユーザの操作入力により、第１の変換ルールＲ１を取得する。また、取得部６０１は、Ｉ／Ｆ３０５により、外部のコンピュータから受信することにより、第１の変換ルールＲ１を取得してもよい。
【００５５】
取得された第１の変換ルールＲ１は、例えば、図４に示したレセプト電算変換マスタテーブル４００に記憶される。
【００５６】
作成部６０２は、第１の変換ルールＲ１による変換の逆変換となる第２の変換ルールＲ２を作成する。具体的には、例えば、作成部６０２は、図４に示したレセプト電算変換マスタテーブル４００を参照して、第１の変換ルールＲ１の変換タイプ、および、診療行為マスタコードとレセプト電算マスタコードとの対応関係を特定する。
【００５７】
ここで、第１の変換ルールＲ１の変換タイプは、会計情報ＡｄをレセプトデータＲｄに変換する際の変換処理のタイプである。診療行為マスタコードは、医事会計システムＳnewの会計情報Ａｄにおいて診療行為を識別するコードである。レセプト電算マスタコードは、レセプトデータＲｄにおいて診療行為を識別するコードである。
【００５８】
そして、作成部６０２は、特定した変換タイプ、および、診療行為マスタコードとレセプト電算マスタコードとの対応関係に基づいて、第２の変換ルールＲ２を作成する。より詳細に説明すると、作成部６０２は、例えば、特定した変換タイプの変換処理とは逆の変換処理が行われるように、レセプト電算マスタコードを、当該コードに対応する診療行為マスタコードに変換するための第２の変換ルールＲ２を作成する。
【００５９】
作成された第２の変換ルールＲ２は、例えば、図５に示した逆レセプト電算変換マスタテーブル５００に記憶される。なお、第２の変換ルールＲ２の作成例については、図７を用いて後述する。
【００６０】
また、取得部６０１は、他の医事会計システムＳoldが生成したレセプトデータＲｄ’を取得する。具体的には、例えば、取得部６０１は、入力装置３０７を用いたユーザの操作入力により、レセプトデータＲｄ’を取得する。また、取得部６０１は、Ｉ／Ｆ３０５により、外部のコンピュータから受信することにより、レセプトデータＲｄ’を取得してもよい。
【００６１】
なお、他の医事会計システムＳoldが生成したレセプトデータＲｄ’の具体例については、図８を用いて後述する。
【００６２】
生成部６０３は、第１の変換ルールＲ１による変換の逆変換となる第２の変換ルールＲ２と、取得されたレセプトデータＲｄ’とに基づいて、医事会計システムＳnewのフォーマットに合致した会計情報Ａｄを生成する。具体的には、例えば、生成部６０３は、図４に示したレセプト電算変換マスタテーブル４００に基づいて、レセプトデータＲｄ’を会計情報Ａｄに変換する。
【００６３】
より詳細に説明すると、生成部６０３は、例えば、レセプト電算変換マスタテーブル４００に基づいて、レセプトデータＲｄ’に含まれるレセプト電算マスタコードを、当該コードに対応する診療行為マスタコードに変換する。なお、レセプト電算変換マスタテーブル４００に基づくレセプトデータＲｄ’から会計情報Ａｄへの変換例については、図８を用いて後述する。
【００６４】
出力部６０４は、生成された会計情報を、他の医事会計システムＳoldから医事会計システムＳnewへの移行データとして出力する。移行データは、他の医事会計システムＳoldから医事会計システムＳnewに引き継ぐ情報であり、医事会計システムＳnewで扱うフォーマットの情報である。
【００６５】
なお、出力部６０４の出力形式としては、例えば、メモリ３０２、ディスク３０４などの記憶装置への記憶、Ｉ／Ｆ３０５による外部のコンピュータへの送信、図３に示したディスプレイ３０６への表示、不図示のプリンタへの印刷出力などがある。
【００６６】
（第２の変換ルールＲ２の作成例）
つぎに、図７を用いて、第２の変換ルールＲ２の作成例について説明する。
【００６７】
図７は、第２の変換ルールＲ２の作成例を示す説明図である。図７において、レセプト電算変換マスタテーブル４００内の第１変換ルール４００−１〜４００−４が示されている。ここでは、第１変換ルール４００−１，４００−３を例に挙げて、第１変換ルール４００−１，４００−３による変換の逆変換となる第２変換ルール５００−１，５００−３をそれぞれ作成する場合について説明する。
【００６８】
まず、作成部６０２は、第１変換ルール４００−１を参照して、変換タイプ１を特定する。変換タイプ１は、多対１変換タイプである。変換タイプ１のときは、データ領域には、診療行為マスタコード＋レセプト電算マスタコードが登録される。このため、作成部６０２は、診療行為マスタコード「００００３，００００４」と、レセプト電算マスタコード「９０００３」との対応関係を特定する。
【００６９】
つぎに、作成部６０２は、逆レセプト電算変換マスタテーブル５００内のレセプト電算マスタコード１に、レセプト電算マスタコード「９０００３」を設定する。また、作成部６０２は、逆レセプト電算変換マスタテーブル５００内の診療行為マスタコード１，２に、レセプト電算マスタコード「９０００３」に対応する診療行為マスタコード「００００３，００００４」をそれぞれ設定する。また、作成部６０２は、逆レセプト電算変換マスタテーブル５００内の変換タイプに「１」を設定する。
【００７０】
これにより、第１変換ルール４００−１による変換の逆変換となる第２変換ルール５００−１を作成することができる。
【００７１】
つぎに、作成部６０２は、第１変換ルール４００−３を参照して、変換タイプ２を特定する。変換タイプ２は、１対多変換タイプである。変換タイプ２のときは、データ領域には、レセプト電算マスタコード＋レセプト電算マスタコードが登録される。このため、作成部６０２は、診療行為マスタコード「００００６」と、レセプト電算マスタコード「９０００５，９０００６」との対応関係を特定する。
【００７２】
そして、作成部６０２は、逆レセプト電算変換マスタテーブル５００内のレセプト電算マスタコード１，２に、レセプト電算マスタコード「９０００５，９０００６」をそれぞれ設定する。また、作成部６０２は、逆レセプト電算変換マスタテーブル５００内の診療行為マスタコード１に、レセプト電算マスタコード「９０００５，９０００６」に対応する診療行為マスタコード「００００６」を設定する。また、作成部６０２は、逆レセプト電算変換マスタテーブル５００内の変換タイプに「２」を設定する。
【００７３】
これにより、第１変換ルール４００−３による変換の逆変換となる第２変換ルール５００−３を作成することができる。
【００７４】
（レセプトデータＲｄ’から会計情報Ａｄへの変換例）
つぎに、図８を用いて、レセプト電算変換マスタテーブル４００に基づくレセプトデータＲｄ’から会計情報Ａｄへの変換例について説明する。
【００７５】
図８は、レセプトデータＲｄ’から会計情報Ａｄへの変換例を示す説明図である。図８において、レセプトデータ８１０は、他の医事会計システムＳoldが生成したレセプトデータＲｄ’の一例である。レセプトデータ８１０は、レコード８１０−１〜８１０−８を有する。
【００７６】
各レコード８１０−１〜８１０−８は、レセプト電算マスタコードと点数とを含む。レセプト電算マスタコードは、レセプトデータＲｄにおいて診療行為を識別するコードである。点数は、診療報酬点数である。以下、レコード８１０−１，８１０−３，８１０−５を例に挙げて、会計情報Ａｄへの変換例について説明する。
【００７７】
まず、レコード８１０−１について説明する。
【００７８】
生成部６０３は、逆レセプト電算変換マスタテーブル５００を参照して、レコード８１０−１のレセプト電算マスタコード「９０００１」がレセプト電算マスタコード１に設定された第２変換ルールを検索する。ここで、第２変換ルールが検索されなかった場合、レセプト電算マスタコード「９０００１」は、医事会計システムＳnewの診療行為マスタコードと１対１で紐付いている。
【００７９】
このため、生成部６０３は、レセプト電算マスタコード「９０００１」と１対１で紐付けられた診療行為マスタコード「００００１」を会計情報８２０に出力する。この際、生成部６０３は、診療行為マスタコード１「００００１」に対応する点数「１００」を出力する。この結果、会計情報８２０にレコード８２０−１が記憶される。
【００８０】
なお、診療行為マスタコードと１対１で紐付くレセプト電算マスタコードを特定する情報は、例えば、メモリ３０２、ディスク３０４などの記憶装置に記憶されている。また、各診療行為マスタコードに対応する点数は、例えば、メモリ３０２、ディスク３０４などの記憶装置に記憶されている。
【００８１】
つぎに、レコード８１０−３について説明する。
【００８２】
生成部６０３は、逆レセプト電算変換マスタテーブル５００を参照して、レコード８１０−３のレセプト電算マスタコード「９０００３」がレセプト電算マスタコード１に設定された第２変換ルールを検索する。ここでは、第２変換ルール５００−１が検索される。つぎに、生成部６０３は、検索した第２変換ルール５００−１の変換タイプを特定する。ここでは、変換タイプ「１」が特定される。
【００８３】
そして、生成部６０３は、特定した変換タイプ「１」に応じた逆変換処理を実行する。より詳細に説明すると、生成部６０３は、第２変換ルール５００−１の診療行為マスタコード１「００００３」を会計情報８２０に出力するとともに、第２変換ルール５００−１の診療行為マスタコード２「００００４」を会計情報８２０に出力する。
【００８４】
「００００３」および「００００４」の組み合わせは、レセプト電算マスタコード「９０００３」に対応する診療行為マスタコードである。この際、生成部６０３は、診療行為マスタコード１「００００３」に対応する点数「１００」を出力するとともに、診療行為マスタコード１「００００４」に対応する点数「５０」を出力する。この結果、会計情報８２０にレコード８２０−３，８２０−４が記憶される。
【００８５】
つぎに、レコード８１０−５について説明する。
【００８６】
生成部６０３は、逆レセプト電算変換マスタテーブル５００を参照して、レコード８１０−５のレセプト電算マスタコード「９０００５」がレセプト電算マスタコード１に設定された第２変換ルールを検索する。ここでは、第２変換ルール５００−３，５００−４が検索される。つぎに、生成部６０３は、検索した第２変換ルール５００−３，５００−４の変換タイプを特定する。ここでは、変換タイプ「２」がともに特定される。
【００８７】
そして、生成部６０３は、特定した変換タイプ「２」に応じた逆変換処理を実行する。より詳細に説明すると、生成部６０３は、レコード８１０−５の次のレコード８１０−６のレセプト電算マスタコードを取得する。ここでは、レセプト電算マスタコード「９０００６」が取得される。つぎに、生成部６０３は、検索した第２変換ルール５００−３，５００−４のうち、取得したレセプト電算マスタコード「９０００６」がレセプト電算マスタコード２に設定された第２変換ルール５００−３を特定する。
【００８８】
そして、生成部６０３は、第２変換ルール５００−３の診療行為マスタコード１「００００６」を会計情報８２０に出力する。「００００６」は、レセプト電算マスタコード「９０００５」および「９０００６」の組み合わせに対応する診療行為マスタコードである。この際、生成部６０３は、診療行為マスタコード１「００００６」に対応する点数「５００」を出力する。この結果、会計情報８２０にレコード８２０−７が記憶される。
【００８９】
このようにして、生成部６０３は、他の医事会計システムＳoldが生成したレセプトデータ８１０を、医事会計システムＳnewのフォーマットに合致した会計情報８２０へ変換することができる。
【００９０】
（情報処理装置１０１のルール作成処理手順）
つぎに、図９を用いて、情報処理装置１０１のルール作成処理手順について説明する。
【００９１】
図９は、情報処理装置１０１のルール作成処理手順の一例を示すフローチャートである。図９のフローチャートにおいて、まず、情報処理装置１０１は、レセプト電算変換マスタテーブル４００から選択されていない未選択の第１変換ルールを選択する（ステップＳ９０１）。
【００９２】
つぎに、情報処理装置１０１は、選択した第１変換ルールの診療行為マスタコードを、逆レセプト電算変換マスタテーブル５００の診療行為マスタコード１に設定する（ステップＳ９０２）。そして、情報処理装置１０１は、選択した第１変換ルールの変換タイプを、逆レセプト電算変換マスタテーブル５００の変換タイプに設定する（ステップＳ９０３）。
【００９３】
つぎに、情報処理装置１０１は、選択した第１変換ルールの変換タイプに応じたデータ領域展開処理を実行する（ステップＳ９０４）。データ領域展開処理は、変換タイプに応じて、第１変換ルールのデータ領域の値を、逆レセプト電算変換マスタテーブル５００のレセプト電算マスタコード１〜３、診療行為マスタコード２，３に出力する処理である。
【００９４】
データ領域展開処理の具体的な処理手順については、図１０および図１１を用いて後述する。
【００９５】
つぎに、情報処理装置１０１は、レセプト電算変換マスタテーブル４００から選択されていない未選択の第１変換ルールがあるか否かを判断する（ステップＳ９０５）。ここで、未選択の第１変換ルールがある場合（ステップＳ９０５：Ｙｅｓ）、情報処理装置１０１は、ステップＳ９０１に戻る。
【００９６】
一方、未選択の第１変換ルールがない場合（ステップＳ９０５：Ｎｏ）、情報処理装置１０１は、逆レセプト電算変換マスタテーブル５００を出力して（ステップＳ９０６）、本フローチャートによる一連の処理を終了する。
【００９７】
これにより、第１の変換ルールＲ１（レセプト電算変換マスタテーブル４００）による変換の逆変換となる第２の変換ルールＲ２（逆レセプト電算変換マスタテーブル５００）を作成することができる。
【００９８】
つぎに、図１０および図１１を用いて、図９に示したステップＳ９０４のデータ領域展開処理の具体的な処理手順について説明する。ここでは、変換タイプが「１」または「２」の場合を例に挙げて、データ領域展開処理の具体的な処理手順について説明する。
【００９９】
図１０は、変換タイプが「１」の場合のデータ領域展開処理の具体的処理手順の一例を示す説明図である。図１０のフローチャートにおいて、まず、情報処理装置１０１は、ステップＳ９０１において選択した第１変換ルールのデータ領域の１フィールド目の値を、逆レセプト電算変換マスタテーブル５００の診療行為マスタコード２に出力する（ステップＳ１００１）。
【０１００】
そして、情報処理装置１０１は、選択した第１変換ルールのデータ領域の２フィールド目の値を、逆レセプト電算変換マスタテーブル５００のレセプト電算マスタコード１に出力して（ステップＳ１００２）、データ領域展開処理を呼び出したステップに戻る。これにより、変換タイプ「１」の変換処理とは逆の変換処理を行うための第２変換ルールを作成することができる。
【０１０１】
図１１は、変換タイプが「２」の場合のデータ領域展開処理の具体的処理手順の一例を示す説明図である。図１１のフローチャートにおいて、まず、情報処理装置１０１は、ステップＳ９０１において選択した第１変換ルールのデータ領域の１フィールド目の値を、逆レセプト電算変換マスタテーブル５００のレセプト電算マスタコード１に出力する（ステップＳ１１０１）。
【０１０２】
そして、情報処理装置１０１は、選択した第１変換ルールのデータ領域の２フィールド目の値を、逆レセプト電算変換マスタテーブル５００のレセプト電算マスタコード２に出力して（ステップＳ１１０２）、データ領域展開処理を呼び出したステップに戻る。これにより、変換タイプ「２」の変換処理とは逆の変換処理を行うための第２変換ルールを作成することができる。
【０１０３】
（情報処理装置１０１の会計情報生成処理手順）
つぎに、図１２を用いて、情報処理装置１０１の会計情報生成処理手順について説明する。
【０１０４】
図１２は、情報処理装置１０１の会計情報生成処理手順の一例を示すフローチャートである。図１２のフローチャートにおいて、まず、情報処理装置１０１は、他の医事会計システムＳoldが生成したレセプトデータＲｄ’を取得する（ステップＳ１２０１）。そして、情報処理装置１０１は、取得したレセプトデータＲｄ’から選択されていない未選択のレコードを選択する（ステップＳ１２０２）。
【０１０５】
つぎに、情報処理装置１０１は、選択したレコードのレセプト電算マスタコードを取得する（ステップＳ１２０３）。そして、情報処理装置１０１は、逆レセプト電算変換マスタテーブル５００を参照して、取得したレセプト電算マスタコードがレセプト電算マスタコード１に設定された第２変換ルールを検索する（ステップＳ１２０４）。
【０１０６】
つぎに、情報処理装置１０１は、第２変換ルールが検索されたか否かを判断する（ステップＳ１２０５）。ここで、第２変換ルールが検索されなかった場合（ステップＳ１２０５：Ｎｏ）、情報処理装置１０１は、取得したレセプト電算マスタコードと１対１で対応付けられた診療行為マスタコードを会計情報Ａｄに出力して（ステップＳ１２０６）、ステップＳ１２０９に移行する。
【０１０７】
一方、第２変換ルールが検索された場合（ステップＳ１２０５：Ｙｅｓ）、情報処理装置１０１は、第２変換ルールの変換タイプを特定する（ステップＳ１２０７）。そして、情報処理装置１０１は、特定した変換タイプに応じた逆変換処理を実行する（ステップＳ１２０８）。
【０１０８】
逆変換処理の具体的な処理手順については、図１３および図１４を用いて後述する。
【０１０９】
そして、情報処理装置１０１は、レセプトデータＲｄ’から選択されていない未選択のレコードがあるか否かを判断する（ステップＳ１２０９）。なお、逆変換処理に用いられたレコードは選択対象から除外する。ここで、未選択のレコードがある場合（ステップＳ１２０９：Ｙｅｓ）、情報処理装置１０１は、ステップＳ１２０２に戻る。
【０１１０】
一方、未選択のレコードがない場合（ステップＳ１２０９：Ｎｏ）、情報処理装置１０１は、会計情報Ａｄを、他の医事会計システムＳoldから医事会計システムＳnewへの移行データとして出力して（ステップＳ１２１０）、本フローチャートによる一連の処理を終了する。
【０１１１】
これにより、第２の変換ルールＲ２（逆レセプト電算変換マスタテーブル５００）を用いて、他の医事会計システムＳoldのレセプトデータＲｄ’から、医事会計システムＳnewのフォーマットに合致した会計情報Ａｄを生成して移行データとして出力することができる。
【０１１２】
つぎに、図１３および図１４を用いて、図１２に示したステップＳ１２０８の逆変換処理の具体的な処理手順について説明する。ここでは、変換タイプが「１」または「２」の場合を例に挙げて、逆変換処理の具体的な処理手順について説明する。
【０１１３】
図１３は、変換タイプが「１」の場合の逆変換処理の具体的処理手順の一例を示す説明図である。図１３のフローチャートにおいて、まず、情報処理装置１０１は、ステップＳ１２０５において検索された第２変換ルールの診療行為マスタコード１を会計情報Ａｄに出力する（ステップＳ１３０１）。
【０１１４】
そして、情報処理装置１０１は、検索された第２変換ルールの診療行為マスタコード２を会計情報Ａｄに出力して（ステップＳ１３０２）、逆変換処理を呼び出したステップに戻る。これにより、レセプトデータＲｄ’に対して変換タイプ「１」の変換処理とは逆の変換処理を施して会計情報Ａｄを生成することができる。
【０１１５】
図１４は、変換タイプが「２」の場合の逆変換処理の具体的処理手順の一例を示す説明図である。図１４のフローチャートにおいて、まず、情報処理装置１０１は、ステップＳ１２０２において選択したレコードの次のレコードのレセプト電算マスタコードを取得する（ステップＳ１４０１）。
【０１１６】
そして、情報処理装置１０１は、検索された第２変換ルールの中に、レセプト電算マスタコード２に、取得したレセプト電算マスタコードが設定された第２変換ルールがあるか否かを判断する（ステップＳ１４０２）。
【０１１７】
ここで、取得したレセプト電算マスタコードが設定された第２変換ルールがある場合（ステップＳ１４０２：Ｙｅｓ）、情報処理装置１０１は、当該第２変換ルールの診療行為マスタコード１を会計情報Ａｄに出力して（ステップＳ１４０３）、逆変換処理を呼び出したステップに戻る。
【０１１８】
一方、取得したレセプト電算マスタコードが設定された第２変換ルールがない場合（ステップＳ１４０２：Ｎｏ）、情報処理装置１０１は、エラー処理を実行して（ステップＳ１４０４）、逆変換処理を呼び出したステップに戻る。エラー処理では、例えば、ステップＳ１２０２においてレセプトデータＲｄ’から選択されたレコードに対応する会計情報を生成できなかったことを示す情報を出力する。
【０１１９】
これにより、レセプトデータＲｄ’に対して変換タイプ「２」の変換処理とは逆の変換処理を施して会計情報Ａｄを生成することができる。なお、図１２〜図１４に示した例では、会計情報Ａｄに診療行為マスタコードを出力する場合についてのみ説明したが、会計情報Ａｄには、例えば、診療行為マスタコードに対応する点数や金額も出力される。
【０１２０】
以上説明したように、実施の形態にかかる情報処理装置１０１によれば、他の医事会計システムＳoldが生成したレセプトデータＲｄ’を取得し、第１の変換ルールＲ１による変換の逆変換となる第２の変換ルールＲ２と、取得したレセプトデータＲｄ’とに基づいて、医事会計システムＳnewのフォーマットに合致した会計情報Ａｄを生成することができる。第１の変換ルールＲ１は、医事会計システムＳnewの会計情報Ａｄを、国が指定したレイアウトのレセプトデータＲｄに変換するための変換ルールである。具体的には、例えば、情報処理装置１０１は、第２の変換ルールＲ２に基づいて、レセプトデータＲｄ’に含まれるレセプト電算マスタコードを、当該コードに対応する診療行為マスタコードに変換する。そして、情報処理装置１０１によれば、生成した会計情報Ａｄを、他の医事会計システムＳoldから医事会計システムＳnewへの移行データとして出力することができる。
【０１２１】
これにより、第１の変換ルールＲ１の変換処理とは逆の変換処理を行って、他の医事会計システムＳoldが生成したレセプトデータＲｄ’から、医事会計システムＳnewのフォーマットに合致した会計情報Ａｄを生成することができる。
【０１２２】
また、情報処理装置１０１によれば、第１の変換ルールＲ１を参照して、変換タイプ、および、診療行為マスタコードとレセプト電算マスタコードとの対応関係を特定し、特定した変換タイプおよび対応関係に基づいて、第２の変換ルールＲ２を作成することができる。変換タイプは、医事会計システムＳnewの会計情報ＡｄをレセプトデータＲｄに変換する際の変換処理のタイプである。具体的には、例えば、情報処理装置１０１は、特定した変換タイプの変換処理とは逆の変換処理が行われるように、レセプト電算マスタコードを、当該コードに対応する診療行為マスタコードに変換するための第２の変換ルールＲ２を作成する。
【０１２３】
これにより、第１の変換ルールＲ１（レセプト電算変換マスタテーブル４００）による変換の逆変換となる第２の変換ルールＲ２（逆レセプト電算変換マスタテーブル５００）を作成することができる。すなわち、国が指定したレイアウトのレセプトデータを、医事会計システムＳnewのフォーマットに合致した会計情報Ａｄに変換するための第２の変換ルールＲ２を作成することができる。
【０１２４】
これらのことから、実施の形態にかかる情報処理装置１０１によれば、システム切り替えを行うにあたり、医事会計システムＳnewとは異なるフォーマットで管理された他の医事会計システムＳoldの会計情報をデータ移行することなく、他の医事会計システムＳoldから医事会計システムＳnewへの切り替えを行うことができる。これにより、人手により会計情報を入力し直すといった作業をなくしてコストを削減することができる。また、他社からのシステム切り替えを提案する商談において、会計情報についてのデータ移行で他社と差が生じないため、商談を有利に進めやすくなる。
【０１２５】
なお、本実施の形態で説明した生成方法およびルール作成方法は、予め用意されたプログラムをパーソナル・コンピュータやワークステーション等のコンピュータで実行することにより実現することができる。本生成プログラムは、ハードディスク、フレキシブルディスク、ＣＤ（Ｃｏｍｐａｃｔ  Ｄｉｓｃ）−ＲＯＭ、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記録媒体に記録され、コンピュータによって記録媒体から読み出されることによって実行される。また、本生成プログラムは、インターネット等のネットワークを介して配布してもよい。
【０１２６】
上述した実施の形態に関し、さらに以下の付記を開示する。
【０１２７】
（付記１）医事会計に関する会計情報を、国が指定したレイアウトのレセプトデータに、第１の変換ルールにより変換する医事会計システムのコンピュータに、
他の医事会計システムが前記レイアウトに基づき生成したレセプトデータを取得し、
前記医事会計システムとは異なるフォーマットで管理された前記他の医事会計システムの会計情報をデータ移行することなく、前記第１の変換ルールによる変換の逆変換となる第２の変換ルールと、取得した前記レセプトデータとに基づいて、前記医事会計システムのフォーマットに合致した新たな会計情報を生成し、
生成した前記新たな会計情報を、前記他の医事会計システムから前記医事会計システムへの移行データとして出力する、
処理を実行させることを特徴とする生成プログラム。
【０１２８】
（付記２）前記コンピュータに、
前記第１の変換ルールを参照して、前記医事会計システムの会計情報を前記レイアウトのレセプトデータに変換する際の変換処理のタイプ、および、前記医事会計システムの会計情報において診療行為を識別するコードと前記レイアウトのレセプトデータにおいて診療行為を識別するコードとの対応関係を特定し、
特定した前記タイプおよび前記対応関係に基づいて、前記第１の変換ルールによる変換の逆変換となる前記第２の変換ルールを作成する、
処理を実行させることを特徴とする付記１に記載の生成プログラム。
【０１２９】
（付記３）前記作成する処理は、
特定した前記タイプの変換処理とは逆の変換処理が行われるように、前記レイアウトのレセプトデータにおいて診療行為を識別するコードを、当該コードに対応する前記医事会計システムの会計情報において診療行為を識別するコードに変換するための第２の変換ルールを作成する、ことを特徴とする付記２に記載の生成プログラム。
【０１３０】
（付記４）前記生成する処理は、
前記第２の変換ルールに基づいて、取得した前記レセプトデータに含まれる診療行為を識別するコードを、当該コードに対応する前記医事会計システムにおいて診療行為を識別するコードに変換する、ことを特徴とする付記３に記載の生成プログラム。
【０１３１】
（付記５）医事会計に関する会計情報を、国が指定したレイアウトのレセプトデータに、第１の変換ルールにより変換する医事会計システムのコンピュータが、
他の医事会計システムが前記レイアウトに基づき生成したレセプトデータを取得し、
前記医事会計システムとは異なるフォーマットで管理された前記他の医事会計システムの会計情報をデータ移行することなく、前記第１の変換ルールによる変換の逆変換となる第２の変換ルールと、取得した前記レセプトデータとに基づいて、前記医事会計システムのフォーマットに合致した新たな会計情報を生成し、
生成した前記新たな会計情報を、前記他の医事会計システムから前記医事会計システムへの移行データとして出力する、
処理を実行することを特徴とする生成方法。
【０１３２】
（付記６）医事会計システムの会計情報を国が指定したレイアウトのレセプトデータに変換する第１の変換ルールを参照して、前記会計情報を前記レセプトデータに変換する際の変換処理のタイプ、および、前記会計情報において診療行為を識別するコードと前記レセプトデータにおいて診療行為を識別するコードとの対応関係を特定し、
特定した前記タイプおよび前記対応関係に基づいて、前記第１の変換ルールによる変換の逆変換となる第２の変換ルールを作成する、
処理をコンピュータが実行することを特徴とするルール作成方法。
【０１３３】
（付記７）前記作成する処理は、
特定した前記タイプの変換処理とは逆の変換処理が行われるように、前記レセプトデータにおいて診療行為を識別するコードを、当該コードに対応する前記会計情報において診療行為を識別するコードに変換するための第２の変換ルールを作成する、ことを特徴とする付記６に記載のルール作成方法。
【０１３４】
（付記８）医事会計に関する会計情報を、国が指定したレイアウトのレセプトデータに、第１の変換ルールにより変換する医事会計システムの情報処理装置であって、
他の医事会計システムが前記レイアウトに基づき生成したレセプトデータを取得する取得部と、
前記医事会計システムとは異なるフォーマットで管理された前記他の医事会計システムの会計情報をデータ移行することなく、前記第１の変換ルールによる変換の逆変換となる第２の変換ルールと、前記取得部によって取得された前記レセプトデータとに基づいて、前記医事会計システムのフォーマットに合致した新たな会計情報を生成する生成部と、
前記生成部によって生成された前記新たな会計情報を、前記他の医事会計システムから前記医事会計システムへの移行データとして出力する出力部と、
を有することを特徴とする情報処理装置。
【符号の説明】
【０１３５】
１０１  情報処理装置
１１０，２１２，２２２，２３２，８１０  レセプトデータ
１２０，２１１，２２１，２３１，８２０  会計情報
１３０  移行データ
３００  バス
３０１  ＣＰＵ
３０２  メモリ
３０３  ディスクドライブ
３０４  ディスク
３０５  Ｉ／Ｆ
３０６  ディスプレイ
３０７  入力装置
３１０  ネットワーク
４００  レセプト電算変換マスタテーブル
５００  逆レセプト電算変換マスタテーブル
６０１  取得部
６０２  作成部
６０３  生成部
６０４  出力部
【図１】
2019185553.tif 000003
【図２Ａ】
2019185553.tif 000004
【図２Ｂ】
2019185553.tif 000005
【図２Ｃ】
2019185553.tif 000006
【図３】
2019185553.tif 000007
【図４】
2019185553.tif 000008
【図５】
2019185553.tif 000009
【図６】
2019185553.tif 000010
【図７】
2019185553.tif 000011
【図８】
2019185553.tif 000012
【図９】
2019185553.tif 000013
【図１０】
2019185553.tif 000014
【図１１】
2019185553.tif 000015
【図１２】
2019185553.tif 000016
【図１３】
2019185553.tif 000017
【図１４】
2019185553.tif 000018